(57)【要約】【課題】  少なくとも、絶縁基板２と、この絶縁基板の上面側に自在に回転するように配設された金属板製の調節用ロータ３とから成り、前記ロータを、当該ロータを回転するためのドライバー工具を受け入れることができるように椀型にした第１プレート１１の上面に、この第１プレートに折り返し連結部１２を介して一体に連結した第２プレート１３を重ね合わせた構成にして、前記第２プレートに、前記ドライバー工具が嵌まるドライバー係合孔１４を穿設して成るチップ型可変式電子部品において、前記ロータを回転するに際して、その折り返し連結部が変形することを確実に防止する。【解決手段】  前記折り返し連結部のうち当該折り返し連結部における折り曲げ線１２′と前記第２プレート１３との間の部分１２ａに、左右一対の下向き折り曲げ片１９を設けて、この両下向き折り曲げ片の間に、前記折り返し連結部のうち当該折り返し連結部における折り曲げ線１２′と前記第１プレート１１との間の部分１２ｂが嵌まる構成にする。【選択図】                    図２
2005333023.tif 000002
【特許請求の範囲】
【請求項１】
少なくとも、絶縁基板と、この絶縁基板の上面側に自在に回転するように配設された金属板製の調節用ロータとから成り、前記ロータを、当該ロータを回転するためのドライバー工具を受け入れることができるように椀型にした第１プレートの上面に、この第１プレートに折り返し連結部を介して一体に連結した第２プレートを重ね合わせた構成にして、前記第２プレートに、前記ドライバー工具が嵌まるドライバー係合孔を穿設して成るチップ型可変式電子部品において、
前記折り返し連結部のうち当該折り返し連結部における折り曲げ線と前記第２プレートとの間の部分に、左右一対の下向き折り曲げ片を設けて、この両下向き折り曲げ片の間に、前記折り返し連結部のうち当該折り返し連結部における折り曲げ線と前記第１プレートとの間の部分が嵌まるように構成したことを特徴とするチップ型可変式電子部品。
【請求項２】
前記請求項１の記載において、前記両下向き折り曲げ片を、前記折り返し連結部のうち当該折り返し連結部における折り曲げ線と前記第１プレートとの間の部分の下面よりも下方に突出して、前記絶縁基板の上面側に突出するストッパー片に接当するように構成したことを特徴とするチップ型可変式電子部品。
【請求項３】
前記請求項１又は２の記載において、前記チップ型可変式電子部品が、前記絶縁基板に前記貫通孔を中心とする円弧状の抵抗膜と、この抵抗膜の両端に対する外端子電極とを設け、更に、前記調節用ロータに前記抵抗膜に対して摺動自在に接触する摺動子を設けて成る構成であることを特徴とするチップ型可変抵抗器。
【発明の詳細な説明】
【技術分野】
【０００１】
本発明は、チップ型にした絶縁基板の上面に、例えば、抵抗値又はコンデンサ容量等を調節するためのロータを回転可能に装着して成るチップ型の可変式電子部品及び可変抵抗器に関するものである。
【背景技術】
【０００２】
前記可変式電子部品の代表であるところのチップ型可変式抵抗器は、特許文献１に記載され、且つ、従来から良く知られているように、チップ型にしてその中心に貫通孔を設けて成る絶縁基板の上面に、抵抗膜を、前記貫通孔を中心とする円弧状に形成し、この絶縁基板に、前記円弧状抵抗膜の両端に対する外端子電極を設け、前記絶縁基板の下面側には、前記貫通孔内に嵌まる軸部を一体に備えた金属板製の中端子電極板を固着する一方、前記絶縁基板の上面側には、金属板製の調節用ロータを前記軸部の上端に回転自在に装着し、このロータを、当該ロータを回転するためのドライバー工具を受け入れることができるように椀型にした第１プレートの上面に、この第１プレートに折り返し連結部を介して一体に連結した第２プレートを重ねた構成にして、前記第１プレートに、前記抵抗膜に接触する摺動子を、前記第２プレートに、前記ドライバー工具が嵌まるドライバー係合孔を穿設するという構造にしている。
【０００３】
また、従来におけるチップ型可変式抵抗器は、特許文献１に記載されているように、前記絶縁基板の下面に配設した中端子電極板に、前記絶縁基板の上面に突出するストッパー片を設けて、前記ロータの回転に際して、このロータにおける前記折り返し連結部を、前記ストッパー片に接当することによって、前記ロータの回転角度を規制するように構成している。
【特許文献１】特開平１１−３５４３０７号公報
【発明の開示】
【発明が解決しようとする課題】
【０００４】
前記したチップ型可変式抵抗器において、調節用のロータは、前記したように、当該ロータを回転するためのドライバー工具を受け入れることができるように椀型にした第１プレートの上面に、この第１プレートに折り返し連結部を介して一体に連結した第２プレートを重ねた構成にして、前記第１プレートに、前記抵抗膜に接触する摺動子を、前記第２プレートに、前記ドライバー工具が嵌まるドライバー係合孔を穿設するという構造であり、換言すると、第２プレートをこれに穿設のドライバー係合孔に挿入したドライバー工具にて回転することで、抵抗膜に接触する摺動子を備えた第１プレートを、これに設けた摺動子が抵抗膜に接触した状態で回転するという構造であることにより、前記第１プレートと第２プレートとの折り返し連結部には、前記第１プレートを回転することに要する捩じりトルクが作用することになるから、前記ロータを、ドライバー工具にて回転するときにおいて、当該ロータにおける前記折り返し連結部が、第１プレートと第２プレートとが互いにずれるように変形するという問題があった。
【０００５】
このために前記特許文献１は、前記折り返し連結部における幅寸法を広くすることによって、その変形を阻止するようにしているが、前記折り返し連結部における幅寸法を広くすることは、当該折り返し連結部における折り曲げ加工を困難にするばかりか、重量のアップを招来するのであり、しかも、前記ロータにおける回転角度を、前記折り返し連結部のストッパー片に接当にて規制する場合に、その回転角度が、前記折り返し連結部を幅広にする分だけ縮小されることになる。
【０００６】
また、前記ロータにおける回転角度を規制するに際して、前記折り返し連結部を、ストッパー片に対して接当するという構成にしていることにより、前記ストッパー片における絶縁基板の上面からの突出高さ寸法を、当該ストッパー片が前記折り返し連結部に届くまで高くしなければならないから、このストッパー片が、前記ロータの回転によってその回転方向に倒れ変形することに抗する強度が低下するという問題がある。
【０００７】
このストッパー片における倒れ強度は、当該ストッパー片を前記ロータの回転方向に沿った幅寸法を広くすることで向上できるが、前記ストッパー片を幅広い形態にすることは、重量のアップを招来するとともに、前記ロータにおける回転角度が前記ストッパー片を幅広にする分だけ縮小されることになる。
【０００８】
本発明は、これらの問題を解消したチップ型の可変式電子部品及び可変抵抗器を提供することを技術的課題とするものである。
【課題を解決するための手段】
【０００９】
この技術的課題を達成するため本発明の請求項１は、
「少なくとも、絶縁基板と、この絶縁基板の上面側に自在に回転するように配設された金属板製の調節用ロータとから成り、前記ロータを、当該ロータを回転するためのドライバー工具を受け入れることができるように椀型にした第１プレートの上面に、この第１プレートに折り返し連結部を介して一体に連結した第２プレートを重ね合わせた構成にして、前記第２プレートに、前記ドライバー工具が嵌まるドライバー係合孔を穿設して成るチップ型可変式電子部品において、
前記折り返し連結部のうち当該折り返し連結部における折り曲げ線と前記第２プレートとの間の部分に、左右一対の下向き折り曲げ片を設けて、この両下向き折り曲げ片の間に、前記折り返し連結部のうち当該折り返し連結部における折り曲げ線と前記第１プレートとの間の部分が嵌まるように構成した。」
ことを特徴としている。
【００１０】
また、本発明の請求項２は、
「前記請求項１の記載において、前記両下向き折り曲げ片を、前記折り返し連結部のうち当該折り返し連結部における折り曲げ線と前記第１プレートとの間の部分の下面よりも下方に突出して、前記絶縁基板の上面側に突出するストッパー片に接当するように構成した。」
ことを特徴としている。
【００１１】
更にまた、本発明の請求項３は、
「前記請求項１又は２の記載において、前記チップ型可変式電子部品が、前記絶縁基板に前記貫通孔を中心とする円弧状の抵抗膜と、この抵抗膜の両端に対する外端子電極とを設け、更に、前記調節用ロータに前記抵抗膜に対して摺動自在に接触する摺動子を設けて成る構成である。」
ことを特徴としている。
【発明の効果】
【００１２】
前記請求項１に記載したように、前記折り返し連結部のうち当該折り返し連結部における折り曲げ線と前記第２プレートとの間の部分に、左右一対の下向き折り曲げ片を設けて、この両下向き折り曲げ片の間に、前記折り返し連結部のうち当該折り返し連結部における折り曲げ線と前記第１プレートとの間の部分が嵌まるように構成することにより、前記第２プレートに、そのドライバー係合孔に挿入したドライバー工具にて付与される回転力は、前記下向き折り曲げ片を介して第１プレートに伝達されることになるから、前記折り返し連結部が変形することを、当該折り返し連結部を幅広にすることなく、ひいては、折り返し連結部における折り曲げ加工を困難にすることなく、且つ、重量のアップ及びロータにおける回転角度の縮小を招来することなく、確実に防止できる。
【００１３】
また、請求項２に記載したように、前記両下向き折り曲げ片を、前記折り返し連結部のうち当該折り返し連結部における折り曲げ線と前記第１プレートとの間の部分の下面よりも下方に突出して、前記絶縁基板の上面側に突出するストッパー片に接当するように構成したことにより、前記ストッパー片における絶縁基板の上面からの突出高さ寸法は、当該ストッパー片を前記折り返し連結部に対して接当する場合よりも低くなるから、ストッパー片が、前記ロータの回転によってその回転方向に倒れ変形することに抗する強度を、当該ストッパー片を幅広にすることなく、ひいては、重量のアップ及びロータにおける回転角度の縮小を招来することなく、確実に向上できる。
【００１４】
特に、請求項３に記載した構成によると、チップ型可変抵抗器を、前記した効果を有するものに構成することができる利点がある。
【発明を実施するための最良の形態】
【００１５】
以下、本発明の実施の形態を、チップ型可変抵抗器に適用した場合の図面（図１〜図５）について説明する。
【００１６】
これらの図において、符号１は、チップ型可変抵抗器を示し、このチップ型可変抵抗器１は、セラミック等の耐熱絶縁材料にてチップ型に構成した絶縁基板２と、この絶縁基板２の上面に配設した調節用ロータ３と、前記絶縁基板２の下面に配設した中端子電極板４とで構成されている。
【００１７】
前記絶縁基板２には、その略中心に上面から下面に貫通する貫通孔５が穿設され、その上面に抵抗膜６が前記貫通孔５を中心として円弧状に延びるように形成され、且つ、この絶縁基板２における一側面２ａには、前記抵抗膜５の両端に対する外端子電極７，８が設けられている。
【００１８】
前記中端子電極板４は、金属板製で前記絶縁基板２の下面に密接しており、前記貫通孔５の部分には、当該貫通孔５内に挿入される中空状の軸部９が一体的に設けられているとともに、前記絶縁基板２の他側面２ｂの部分に上向きに折り曲げて成るストッパー片１０が一体的に設けられている。
【００１９】
一方、前記ロータ３は、金属板にて外周にフランジを有する椀型に形成した第１プレート１１と、この第１プレート１１に対して折り返し連結部１２を介して一体に連結した平板状の第２プレート１３とから成り、前記第２プレート１３は、これに十字状のドライバー係合孔１４が穿設され、前記折り返し連結部１２から前記第１プレート１０の上面に重なるように折り返し状に折り曲げられている一方、前記第１プレート１０における外周のフランジには、前記折り返し連結部１２と反対側の部分に略半円弧状に延びるスリット孔１５が穿設されて、このスリット孔１５より外側の部分が、前記抵抗膜５に対して弾性的に接触する摺動子１６に構成されている。
【００２０】
前記ロータ３は、これを前記絶縁基板２における上面側に、当該ロータ３の第１プレート１０における底板１７に穿設した装着孔１８を前記中空状の軸部９の上端に被嵌し、且つ、その底板１７の下面が前記絶縁基板２の上面に密接し、更に、その摺動子１６が前記抵抗膜５に弾性的に接触するように供給したのち、前記軸部９の上端を、外向きに広げるようにかしめ付けることにより、前記軸部９に対して、当該軸部９を中心軸として自在に回転するように装着されている。
【００２１】
そして、折り返し連結部１２のうち当該折り返し連結部１２における折り曲げ線１２′と前記第２プレート１３との間の部分１２ａに、左右一対の下向き折り曲げ片１９を一体に設けて、この両下向き折り曲げ片１９の間に、前記折り返し連結部１２のうち当該折り返し連結部１２における折り曲げ線１２′と前記第１プレート１１との間の部分１２ｂが嵌まるように構成している。
【００２２】
また、前記両下向き折り曲げ片１９を、前記前記折り返し連結部１２のうち当該折り返し連結部１２における折り曲げ線１２′と前記第１プレート１１との間の部分１２ｂの下面から下方に突出して、この部分が、前記ストッパー片１０に接当するように構成している。
【００２３】
この構成において、前記ロータ３は、その第２プレート１３におけるドライバー係合孔１４に挿入したドライバー工具にて、左右の方向に回転される。
【００２４】
この場合において、前記ドライバー工具の回転力は、先ず、前記第２プレート１３に伝えられ、次いで、この第２プレート１３から第１プレート１１に伝えられる。
【００２５】
そして、前記第２プレート１３から第１プレート１１への回転力の伝達は、前記従来のように、折り返し連結部１２のみに依存することなく、前記折り返し連結部１２に設けた左右一対の下向き折り曲げ片１９を介して行われることにより、前記折り返し連結部１２が第１プレートと第２プレートとが互いにずれるように変形することを、当該折り返し連結部１２における幅寸法Ｗを狭くした状態のもとで、確実に防止できる。
【００２６】
また、前記ロータ３の左右方向への回転により、このロータ３における左右一対の下向き折り曲げ片１９が、図５に示すように、前記ストッパー片１０に接当することにより、前記ロータ３の回転が角度θの範囲内に規制される。
【００２７】
この場合において、前記左右一対の下向き折り曲げ片１９は、前記折り返し連結部１２の下面から下方に突出していることにより、これに接当する前記ストッパー片１０における絶縁基板２の上面からの突出高さ寸法Ｈを、当該ストッパー片１０を前記折り返し連結部１２に対して接当する場合よりも低くできるから、このストッパー片が、前記ロータ３の回転によってその回転方向に倒れ変形することに抗する強度を、当該ストッパー片１０を幅広にすることなく、確実に向上できる。
【００２８】
なお、前記中端子電極板４のうち前記軸部９の部分を、板厚さを薄くして、その下面に、前記軸部９の内部を塞ぐためのフィルム２０を貼着することにより、プリント回路基板等に対して半田付けにて実装するとき、半田付けに際してのフラックスが前記ロータ３の内部に侵入することを阻止する構成にしている。
【００２９】
また、前記ストッパー片１０は、図６に示すように、これに前記絶縁基板２の上面に接当する接当片１０′を一体に設けた構成にしても良く、このように構成することにより、前記ストッパー片１０は、これに一体的に設けた接当片１０′と、前記中端子電極板４とで絶縁基板２を上下両面から挟持することになるから、前記スットパー片１０が、前記ロータ３の回転方向に倒れるときにおける強度を更に大幅に向上でき、これに加えて、前記中端子電極板４の前記絶縁基板２に対する固着を、この中端子電極板４に一体的に設けた軸部９に対する前記ロータ３のかしめ付けによる装着と、前記ストッパー片１０に一体的に設けた接当片１０′による絶縁基板２の挟持との二箇所において行われることになるから、中端子電極板４の絶縁基板２に対する固着強度を向上できる。
【００３０】
更にまた、前記ストッパー片を、図７及び図８に示すように、断面を外向きコ字状にしたストッパー片１０″に構成しても良い。
【図面の簡単な説明】
【００３１】
【図１】本発明の実施の形態による可変抵抗器の平面図である。
【図２】図１のII−II視断面図である。
【図３】図２のIII −III 視断面図である。
【図４】ロータの展開図である。
【図５】ロータを回転したときの平面図である。
【図６】ストッパー片の変形例を示す断面図である。
【図７】ストッパー片の別の変形例を示す平面図である。
【図８】図７のVIII−VIII視断面図である。
【符号の説明】
【００３２】
１                チップ型可変抵抗器
２                絶縁基板
３                調節用ロータ
４                中端子電極板
５                貫通孔
６                抵抗膜
７，８            外端子電極
９                軸部
１０              ストッパー片
１１              第１プレート
１２              折り返し連結部
１２′            折り曲げ線
１２ａ            折り返し連結部のうち折り曲げ線と第２プレートとの間の部分
１２ｂ            折り返し連結部のうち折り曲げ線と第１プレートとの間の部分
１３              第２プレート
１４              ドライバー係合孔
１６              摺動子
１９              下向き折り曲げ片
【図１】
2005333023.tif 000003
【図２】
2005333023.tif 000004
【図３】
2005333023.tif 000005
【図４】
2005333023.tif 000006
【図５】
2005333023.tif 000007
【図６】
2005333023.tif 000008
【図７】
2005333023.tif 000009
【図８】
2005333023.tif 000010